(57)【要約】【課題】再生対象のコンテンツに応じて、消費電力を低減可能な映像音声再生装置および映像音声再生方法を提供する。【解決手段】この発明の１つの実施の形態である映像音声再生装置（ソース機器）１は、映像データを再生する際の解像度をコンテンツから検出し、映像データが記録されている媒体の種類を検出し、検出された解像度または媒体の種類の少なくとも一方に基づいて、出力すべき映像データに適用する出力解像度を選択し、検出された解像度または媒体の種類の少なくとも一方に基づいて、出力すべき映像データの有無、すなわち音声データのみか否か、を検出し、検出された映像データの有無または選択された映像データに適用する出力解像度に基づいてシンク機器に供給する映像出力の解像度を、選択された出力解像度に変更することができる。【選択図】      図１
2010009695.tif 000002
【特許請求の範囲】
【請求項１】
映像データを再生する際の解像度をコンテンツから検出する解像度判別手段と、
映像データが記録されている媒体の種類を検出する媒体種類判別手段と、
前記解像度判別手段により検出された解像度または前記媒体種類判別手段により検出された媒体の種類の少なくとも一方に基づいて、映像データに適用される出力解像度を選択する解像度選択部と、
前記解像度判別手段により検出された解像度または前記媒体種類判別手段により検出された媒体の種類の少なくとも一方に基づいて、前記媒体に記録されている映像データを再生した際に出力される映像データの種類を特定する出力映像選択部と、
接続されたシンク機器に対して映像出力および音声出力を供給する送信部と、
前記出力映像選択部により特定された映像データの種類に基づいて、前記送信部からシンク機器に供給する映像出力の解像度を、前記解像度選択部により選択された解像度に変更する解像度制御部と、
を有することを特徴とする映像音声再生装置。
【請求項２】
前記送信部からシンク機器に供給される映像出力の解像度は、前記解像度選択部で選択された出力解像度に基づいて、前記解像度制御部により、消費電力を低減可能な解像度に変更されることを特徴とする請求項１記載の映像音声再生装置。
【請求項３】
前記出力映像選択部からデータバスを経由して送信部に供給される映像信号は、前記出力映像選択部で特定された映像データの種類に基づいて、静止画黒画面出力となる信号に変更されることを特徴とする請求項２記載の映像音声再生装置。
【請求項４】
前記送信部からシンク機器に供給されるべき出力信号が、映像出力を伴わない場合は、前記解像度制御部により、消費電力を低減可能な解像度の出力信号に変更されることを特徴とする請求項１記載の映像音声再生装置。
【請求項５】
前記送信部からシンク機器に供給されるべき出力信号が、映像出力を伴わない場合は、前記解像度制御部により、静止画黒画面出力となる信号に変更されることを特徴とする請求項４記載の映像音声再生装置。
【請求項６】
映像データを再生する際の解像度をコンテンツから検出し、
映像データが記録されている媒体の種類を検出し、
検出された解像度または媒体の種類の少なくとも一方に基づいて、出力すべき映像データに適用する出力解像度を選択し、
検出された解像度または媒体の種類の少なくとも一方に基づいて、出力すべき映像データの有無を検出し、
検出された映像データの有無または選択された映像データに適用する出力解像度に基づいて、シンク機器に供給する映像出力の解像度を、選択された出力解像度に変更する
ことを特徴とする映像音声再生方法。
【請求項７】
出力すべき映像データが存在しないことが検出された場合には、シンク機器に静止画黒画面出力となる信号を出力することを特徴とする請求項６記載の映像音声再生方法。
【発明の詳細な説明】
【技術分野】
【０００１】
この発明は、再生対象のコンテンツに応じて、消費電力を低減可能な映像音声再生装置および映像音声再生方法に関する。
【背景技術】
【０００２】
ＨＤＭＩ（High-Definition Multimedia Interface）等の双方向インタフェースを介して、例えばデジタルビデオレコーダー等の再生装置等のソース機器により再生された映像データおよびオーディオデータすなわちコンテンツを、例えばモニター装置（ディスプレイ装置）等であるシンク機器や、音響機器すなわちオーディオアンプ等であるリピーター機器に出力するコンテンツ再生方法が既に実用化されている。
【０００３】
すなわち、ソース機器にＨＤＭＩを介して接続されるシンク機器／リピーター機器が再生可能な映像信号の解像度や音声信号の帯域等はＨＤＭＩを経由してソース機器側で検出され、ソース機器からは、シンク機器／リピーター機器の再生能力に合わせたより好適な解像度の映像信号や周波数帯域のオーディオ信号が、シンク機器／リピーター機器に供給される。
【０００４】
特許文献１には、再生映像の解像度を対応する解像度の中から好みに応じて設定できる光ディスク再生装置が開示されている。
【特許文献１】特開２００７−１５０４６９
【発明の開示】
【発明が解決しようとする課題】
【０００５】
特許文献１に開示された光ディスク装置は、再生映像の解像度を設定できるが、例えばＣＤ等に代表される音声データのみ、あるいは音声データを主体としたコンテンツが記録された光ディスクを再生する際の消費電力については、言及されていない。
【０００６】
この発明の目的は、再生対象のコンテンツに応じて消費電力を低減可能な映像音声再生装置および映像音声再生方法を提供することである。
【課題を解決するための手段】
【０００７】
この発明は、上記問題点に基づきなされたもので、映像データを再生する際の解像度をコンテンツから検出する解像度判別手段と、映像データが記録されている媒体の種類を検出する媒体種類判別手段と、前記解像度判別手段により検出された解像度または前記媒体種類判別手段により検出された媒体の種類の少なくとも一方に基づいて、映像データに適用される出力解像度を選択する解像度選択部と、前記解像度判別手段により検出された解像度または前記媒体種類判別手段により検出された媒体の種類の少なくとも一方に基づいて、前記媒体に記録されている映像データを再生した際に出力される映像データの種類を特定する出力映像選択部と、接続されたシンク機器に対して映像出力および音声出力を供給する送信部と、前記出力映像選択部により特定された映像データの種類に基づいて、前記送信部からシンク機器に供給する映像出力の解像度を、前記解像度選択部により選択された解像度に変更する解像度制御部と、を有することを特徴とする映像音声再生装置である。
【発明の効果】
【０００８】
この発明によれば、コンテンツに応じて自動的に出力解像度を変更し、消費電力を低減可能な映像音声再生装置および映像音声再生方法が得られる。
【発明を実施するための最良の形態】
【０００９】
以下、図面を参照して、本発明の実施の形態の一例について説明する。
【００１０】
図１は、この発明の実施の形態が適用可能な映像音声再生装置（ＨＤＭＩソース機器）と、ＨＤＭＩソース機器に接続された映像音声出力装置（ＨＤＭＩシンク機器）とを説明する概略図である。
【００１１】
図１に示すＨＤＭＩソース機器１は、ＨＤＭＩ（High-Definition Multimedia Interface）出力機能を有する電子機器であり、例えばデジタルビデオレコーダーやハードディスク装置（大容量記録装置）付きセットトップボックス等である。なお、ＨＤＭＩソース機器としては、ＤＶＤ規格やＤＶＤ規格をより発展させた記録容量の多い光ディスク、およびＣＤ規格等の光ディスクから映像および音声（オーディオ）を再生可能な光ディスク装置や、光ディスク装置またはハードディスク装置が接続されたパーソナルコンピュータ（ＰＣ）、もしくはデジタルビデオカメラ装置等である。
【００１２】
ＨＤＭＩソース機器１は、ＨＤＭＩソース機器１内の以下に説明する各構成または要素の動作を制御する制御部１１、図示しないリモート操作端末（以下リモコンと称する）、またはＨＤＭＩソース機器１に備え付けられたボタンのユーザーによる操作に応じた操作信号を制御部１１に出力する操作部１２、例えばハードディスク装置（ＨＤＤ）や半導体メモリ（メモリカード）もしくは光ディスク等に代表される記憶媒体から、収録（記録）されている映像データや音声データを再生する再生装置１３、再生装置１３により読み込んだ映像データの映像出力内容や解像度を変換する機能を有する映像処理部１４、映像処理部１４から出力されたデジタルビデオ信号群１４１を、ＴＭＤＳ（Transition Minimized Differential Signaling）に変換して出力するＨＤＭＩ送信部１５を含む。
【００１３】
ＨＤＭＩ送信部１５から出力されたＴＭＤＳは、ＨＤＭＩケーブル３を介してＨＤＭＩシンク機器２に供給される。
【００１４】
ＨＤＭＩシンク機器２は、ＨＤＭＩ入力機能を有する電子機器であり、ＨＤＭＩソース機器１のＨＤＭＩ送信部１５から入力されたＴＭＤＳを、デジタルビデオ信号群２１１に変換して出力するＨＤＭＩ受信部２１と、ＨＤＭＩ受信部２１からのデジタルビデオ信号群２１１が入力される映像処理部２２を含む。なお、ＨＤＭＩシンク機器２は、例えばモニター装置（ディスプレイ）やテレビ装置等であり、ＡＶ（オーディオ／ビジュアル）アンプ等のＨＤＭＩ入力機能とＨＤＭＩ出力機能の両方を有する電子機器であるＨＤＭＩリピーター機器であっても良い。
【００１５】
なお、ＨＤＭＩ送信部１５は、ＨＤＭＩケーブル３を経由してＨＤＭＩシンク機器２から入力されるＨＰＤ（Hot Plug Detect）信号を通じてシンク機器２が接続されることを検出すると、ＨＤＭＩケーブル３のＤＤＣ（Display Data Channel）を経由してＨＤＭＩシンク機器２のＥＤＩＤ（Extended Display Identification Data）を読み込み、ＨＤＭＩシンク機器２へ入力可能な解像度および音声の情報を、制御部１１に通知する。すなわち、ＨＤＭＩ送信部１５は、ＨＤＭＩシンク機器２が再生可能な映像データの解像度およびオーディオ（音声）データのフォーマットを、ＥＤＩＤにより取得することができる。
【００１６】
制御部１１は、後段に詳述するが、媒体種類判別部１１１と、解像度判別部１１２と、ＨＤＭＩ出力解像度選択部１１３と、ＨＤＭＩ出力映像選択部１１４と、を含む。
【００１７】
媒体種類判別部１１１は、再生装置１３にセットされた記憶媒体の種別を判別するもので、再生装置１３が光ディスク装置である場合には、セット（装着）された光ディスクの記録面から詳述しない光ヘッド装置を介して、記録されている情報の有無、記録密度（記録マークの最小ピッチ）、トラック間隔等を読み取って、ＣＤ規格／ＤＶＤ規格／ＨＤ  ＤＶＤ規格／Ｂｌｕ−ｒａｙ  Ｄｉｓｃ規格のいずれであるかを判別する。なお、ＣＤ規格の光ディスクにおいては、トラック間隔は約１．６μｍであり、ＤＶＤ規格の光ディスクにおいては、トラック間隔は、約０．７６μｍである。再生装置１３が半導体メモリである場合には、その種別と容量およびその容量をサポートしているか否か、等を判別する。再生装置１３がハードディスク装置（ＨＤＤ）である場合には、例えばＨＤＭＩソース機器１の電源がオンされた際のイニシャル動作により、製造メーカー名、形式、記録容量、残り記録容量等が把握できる。
【００１８】
解像度判別部１１２は、再生装置１３にセット（装着）されている媒体に収録（記録）されている情報すなわちコンテンツの解像度を判別する。再生装置１３が、例えば光ディスク装置である場合、媒体種類判別部１１１による媒体種別の判別において特定された光ディスクの規格に基づいて、その光ディスクに適用可能な記録方法および記録レートから収録されているコンテンツの解像度を取得できる。再生装置１３が、ハードディスク装置（ＨＤＤ）あるいは半導体メモリである場合には、媒体種類判別部１１１による媒体種別の判別において特定された規格や保存可能な映像および音声データの形式に基づいて、収録されているコンテンツの解像度を取得できる。
【００１９】
ＨＤＭＩ出力解像度選択部１１３は、再生装置１３において再生され、映像処理部１４から出力すべきデジタルビデオ信号群１４１のピクセルクロック（pixel clock）および同期信号の内容（すなわち指定された解像度に対応するピクセルクロックと同期信号の周波数の組み合せ）とＴＭＤＳクロック周波数を選択（設定）して、映像処理部１４とＨＤＭＩ送信部１５を制御する。
【００２０】
ＨＤＭＩ出力映像選択部１１４は、デジタルビデオ信号群１４１のビデオデータバスの出力内容（すなわちユーザーが見る映像の内容）を選択して映像処理部１４を制御する。
【００２１】
なお、デジタルビデオ信号群１４１（ソース機器１側）およびデジタルビデオ信号群２１１（シンク機器２側）は、ＣＥＡ（Consumer Electronics Association（登録商標））−８６１規格に則り、ピクセルクロックとＤａｔａ  Ｅｎａｂｌｅ（データエナーブル）／ＨＳＹＮＣ（水平同期）／ＶＳＹＮＣ（垂直同期）の同期信号、および８ビット以上のビデオデータバスで構成されている。但し、デジタルビデオ信号群１４１およびデジタルビデオ信号群２１１が、ＩＴＵ（International Telecommunications Union）−Ｒ（Radiocommunications）  ＢＴ．６５６およびＩＴＵ−Ｒ  ＢＴ．１１２０に代表されるＥｍｂｅｄｄｅｄ  Ｓｙｎｃ（エンベデッド（埋め込み）同期）信号の場合は、Ｄａｔａ  Ｅｎａｂｌｅ／ＨＳＹＮＣ／ＶＳＹＮＣの同期信号が伝送されず、ビデオデータバス上に同期信号が含まれている。
【００２２】
なお、一般には、デジタルビデオ信号群１４１とデジタルビデオ信号群２１１のフォーマットは一致している。
【００２３】
図２は、図１に示したＨＤＭＩソース機器と接続されたモニター（ディスプレイ）装置あるいはテレビ装置等であるＨＤＭＩシンク機器もしくはＡＶ（オーディオ／ビジュアル）アンプ等であるＨＤＭＩリピーター機器を経由して接続されるモニター（ディスプレイ）装置等に表示される機能設定画面の一例を示す。
【００２４】
機能設定画面３０において、「再生ソースの種類」と表示された『列』３１には、再生装置１３が再生可能な記憶媒体の種類と記録内容に基づいて、予め決められている解像度の場合分けが示されている。
【００２５】
『列』３１（すなわち「再生ソースの種類」）の表示としては、例えば「ＨＤ映像データ」、「ＳＤ映像データ」および「音声データ」の３通りがある。
【００２６】
「ＨＤ映像データ」は、１９２０×１０８０、もしくは１４４０×１０８０、もしくは１２８０×７２０等の解像度で収録された放送波（ハイビジョン放送）コンテンツ、もしくはＤＶＤ規格の光ディスクの記録密度をより高めた規格（ＨＤ（High-Definition）  ＤＶＤ規格あるいはＢｌｕ−ｒａｙ  Ｄｉｓｃ）に記録されているコンテンツを再生する場合に対応する。
【００２７】
「ＳＤ映像データ」は、７２０×４８０、もしくは、３５２×４８０、もしくは３５２×２４０等の解像度で収録された放送波コンテンツ、ＤＶＤ−ＶＩＤＥＯもしくはＤＶＤ−ＶＲ記録タイトル等のコンテンツを再生する場合に対応する。
【００２８】
「音声データ」は、ＣＤ−ＤＡもしくはＭＰ３等の映像情報を持たず（映像情報が付属していない）、音声データのみが収録されているデータを再生する場合に対応する。
【００２９】
同じく、機能設定画面３０において、「ＨＤＭＩ出力解像度」と表示された『列』３２は、『列』３１に示された「再生ソースの種類」毎に、ＨＤＭＩ出力解像度選択部１１３の制御によりＨＤＭＩ送信部１５からシンク機器のＨＤＭＩ受信部２１に出力する内容、特に出力映像の解像度を決定するための設定項目である。
【００３０】
なお、『列』３２においては、図示しないリモコン等によるユーザーからの操作入力、すなわち同一画面（表示）内に表示されている＜設定＞ボタン表示にカーソルを合わせた後、リモコンに設けられている、例えば＜決定＞ボタン等が押されることにより、『列』３２に現在表示されている個々の「再生ソースの種類」毎に、「ＨＤＭＩ出力解像度」が変更可能となる。
【００３１】
以下、『列』３１における、例えば「音声データ」の欄にカーソルが合わせられた状態で、リモコンの＜決定＞ボタン等が押されることにより、「ＨＤＭＩ出力解像度」が選択が可能な状態が設定される。
【００３２】
「音声データ」が選択された場合、例えば文字あるいはフィールド（背景部）の色が反転される等の表示制御により「音声データ」に対する「ＨＤＭＩ出力解像度」が変更可能であることが、ユーザーに対して報知される。
【００３３】
以下、リモコンの、例えば上矢印（↑）ボタンまたは下矢印（↓）ボタンのいずれかが押されることにより、「音声データ」コンテンツに対して組み合せることが可能に予め設定されている「ＨＤＭＩ出力解像度」が、ボタンが押される毎に、例えば昇順（数字が大きくなる）または降順（数字が小さくなる）等の任意の方法により、順に表示される。あるいは、図３を用いて後段に説明するように、選択（設定）可能な総ての「ＨＤＭＩ出力解像度」が表示される。
【００３４】
従って、ユーザーにより、表示された解像度から、ユーザーの望む１つの解像度が選択され、例えばリモコンの＜決定＞ボタンがオンされることで、再生ソースを再生する際の「ＨＤＭＩ出力解像度」を切り替えることができる。
【００３５】
なお、ソース機器から映像データと音声（オーディオ）データをシンク機器に伝送し、シンク機器において映像データおよび／または音声（オーディオ）データを再生するＨＤＭＩ伝送を用いる場合、音声データに対応する音声信号は、映像データに対応する映像信号のブランキング期間にパケット化して挿入されているため、ＣＤのような主として音声データのみが再生対象となるコンテンツ（再生媒体）を再生したい場合も、必ず映像信号を同時に伝送する必要がある。このため、ＨＤＭＩ伝送をする限りは、再生媒体がＣＤであっても、デジタルビデオ信号群１４１および２１１が伝送されることになる。
【００３６】
このデジタルビデオ信号群１４１および２１１の伝送は、解像度によって消費電力が異なる。すなわち、デジタルビデオ信号群１４１のピクセルクロックは、７２０×４８０ｐ出力時は２７ＭＨｚであるが、１９２０×１０８０ｉ＠５９．９４Ｈｚ、１２８０×７２０ｐ＠５９．９４Ｈｚ、１９２０×１０８０ｐ＠２３．９７６Ｈｚ出力時は７４．１７６ＭＨｚ、１９２０×１０８０ｉ＠６０Ｈｚ、１２８０×７２０ｐ＠６０Ｈｚ、１９２０×１０８０ｐ＠２４Ｈｚ時には７４．２５ＭＨｚ、１９２０×１０８０ｐ＠５９．９４ＭＨｚ出力時は１４８．３５２ＭＨｚ、１９２０×１０８０ｐ＠６０Ｈｚ出力時には１４８．５ＭＨｚであるため、ピクセルクロック周波数が高くなるにつれて、映像処理部１４やＨＤＭＩ送信部１５にかかる負荷が大きくなり、消費電力が増加する。従って、ＣＤのような主として音声データのみが再生対象となるコンテンツ（再生媒体）を再生する場合、ピクセルクロックが低い（低解像度の）「ＨＤＭＩ出力解像度」を選択することで、消費電力を抑止できる。
【００３７】
なお、映像情報が含まれている動画データを再生する場合は、デジタルビデオ信号群１４１のうち、映像の内容に沿ったビデオデータバスをＨｉｇｈレベルにドライブする必要がある。Ｈｉｇｈレベルにドライブするビット数や頻度が増えるほど、映像処理部１４やＨＤＭＩ受信部２１の負荷が増大し、同様に消費電力が増加する。よって、ビデオデータバスにかかる負荷を最小にして消費電力を抑えるためには、ビデオデータバスをドライブさせないこと、すなわち静止画黒画面を出力することが有効である。なお、シンク機器２側のデジタルビデオ信号群２１１は、上述した通り、通常はデジタルビデオ信号群１４１と同じフォーマットであるから、ピクセルクロックが高い（高解像度の）「ＨＤＭＩ出力解像度」が選択されている場合には、ＨＤＭＩ受信部２１の負荷も増加するため、シンク機器２においても、消費電力が増大することはいうまでもない。
【００３８】
従って、ＣＤやＭＰ３等の主として音声データのみが収録（記録）されている再生媒体を再生する際には、「ＨＤＭＩ出力解像度」を、１０８０ｉ／７２０ｐ／１０８０ｐ等の高解像度出力ではなく４８０ｐや４８０ｉ等の低解像度とし、かつ静止画黒画面出力（映像出力なし）を設定することにより、消費電力を抑えることができる。
【００３９】
このような背景から、図２に示した機能設定画面３０において、『列』３３に「映像」と表示された設定内容についても、再生媒体（再生対象）が主として「音声データ」のみであるＣＤやＭＰ３等である場合には、デジタルビデオ信号群１４１のビデオデータバスに映像信号（映像データ）が出力されない、「出力しない」を選択することで、より消費電力を抑えることができる。但し、ＣＤやＭＰ３等である場合においても、トラック名や再生時間（収録時間）等を表示する「プレーヤー画面」は表示すべきであり、その場合には、「出力する」が選択されている状態で、モニター（ディスプレイ）装置の輝度を一定レベルだけしぼる（画面表示を暗くする）ことが好ましい。この場合、例えば音声データの再生開始から所定時間、例えば１分経過後に、輝度を一定レベル減少させ、その後さらに所定時間経過後に、映像出力なし、とするような制御も可能である。また、リモコン等から何らかの操作入力があった場合に、輝度を最初のレベルまで戻す等の制御を伴ってもよい。
【００４０】
なお、映像データが含まれている「ＨＤ映像データ」や「ＳＤ映像データ」では、いうまでもなく、映像データがデジタルビデオ信号群１４１のビデオデータバスに出力されるため、機能設定画面３０における『列』３３の「映像」の欄については、設定内容として「出力する」と表示され、ユーザーの操作によるカーソル選択を受け付けない状態に設定されてもよい。
【００４１】
図３は、図２に示した機能設定画面３０において、「音声データ」再生時の「ＨＤＭＩ出力解像度」の設定が選択された場合の「ＨＤＭＩ出力解像度設定画面」の一例を示す。
【００４２】
ＨＤＭＩ出力解像度設定画面４０は、選択（組み合わせ）可能な総ての「ＨＤＭＩ出力解像度」を表示する『表示』４２に加え、「音声データに関する設定画面」であることがユーザーに分かるように、例えば『音声データ再生時のＨＤＭＩ出力の解像度を選択してください』等のメッセージが『表示』４１として、画面の所定の位置に表示される。もちろん、「ＨＤＭＩ出力解像度」の設定のために選択されている「再生ソースの種類」が、上述した「ＨＤ映像データ」である場合には、『表示』４１の「音声データ」と書かれた部分は、「ＨＤ映像データ」と表示される。「ＳＤ映像データ」の場合も同様である。
【００４３】
なお、『表示』４２には、「ＨＤＭＩ出力解像度」として選択（設定）可能な総てのフォーマットが表示される。従って、ユーザーのカーソル操作により、所望の出力フォーマットを選択することができる。
【００４４】
また、図３においては、    
４８０ｉ（７２０×４８０ｉ＠５９．９４Ｈｚ）、    
４８０ｐ（７２０×４８０ｐ＠５９．９４Ｈｚ）、    
１０８０ｉ（１９２０×１０８０ｉ＠５９．９４Ｈｚ）、    
７２０ｐ（１２８０×７２０ｐ＠５９．９４Ｈｚ）、    
１０８０ｐ／６０Ｈｚ（１９２０×１０８０ｐ＠５９．９４Ｈｚ）、    
１０８０ｐ／２４Ｈｚ（１９２０×１０８０ｐ＠２３．９７６Ｈｚ）    
を、選択可能な例として示したが、ソース機器１が他の出力フォーマットをサポートしている場合には、そのフォーマットが表示されることはいうまでもない。
【００４５】
もちろん、ソース機器１がパーソナルコンピュータである場合、あるいはシンク機器２がパーソナルコンピュータ向けのディスプレイである場合等に、例えば    
１９２０×１０８０ｐ＠５９．９４Ｈｚ    
の出力フォーマットは、    
１９２０×１０８０ｐ＠６０Ｈｚ    
に変更される場合もあることは、当業者であれば容易に理解できる。
【００４６】
なお、ＥＤＩＤにより取得したシンク機器２に入力可能なフォーマット（シンク機器２が受信可能な受信フォーマット）が、ソース機器１において出力可能なフォーマットと一致していない場合は、シンク機器２の入力に対応していないフォーマットを選択できないようにしても良い。
【００４７】
以下、詳細な説明は省略するが、「ＨＤＭＩ出力解像度」の出力フォーマットの選択が完了した場合、例えばリモコンの＜戻る＞ボタンがオンされることにより、あるいは設定画面４０の「戻る」表示へのカーソルの移動後、＜決定＞ボタンがオンされる等の復帰入力により、図２に示した機能設定画面３０を経て、『列』３２に表示されている解像度が「ＨＤＭＩ出力解像度」として制御部１１により保持され、映像処理部１４に出力される出力解像度（出力フォーマット）が、選択（設定）されたフォーマットに変更される。
【００４８】
なお、再生装置１３において、セットされた光ディスクがＣＤ規格であると判定された時点で「ＨＤＭＩ出力解像度」を、４８０ｐや４８０ｉ等の低解像度の出力フォーマットに、自動的に変更するよう、制御することも可能である。
【００４９】
この場合、ＨＤＭＩ規格上、ソース機器１とシンク機器２のいずれもピクセルクロック周波数が２７ＭＨｚとなる７２０×４８０ｐもしくは７２０×５７６ｐもしくはピクセルクロックが２５．１７５ＭＨｚとなる６４０×４８０ｐうちのいずれかのＨＤＭＩ伝送をサポートする必要があるため、ＨＤＭＩ送信部１５から出力される映像データは、上記のうちソース機器１とシンク機器２の両方が対応しているフォーマットを用いたＨＤＭＩ伝送となる。
【００５０】
但し、再生ソースのサンプリング周波数が４８ｋＨｚを超えるマルチチャンネルリニアＰＣＭの場合等の、ＨＤＭＩ規格上ＴＭＤＳクロック周波数が２７ＭＨｚでは伝送できない場合には、デジタルビデオ信号群１４１のピクセルクロックを２７ＭＨｚに維持し、ＴＭＤＳのＰｉｘｅｌ  Ｒｅｐｅｔｉｔｉｏｎ（繰り返し情報）を、「２」または「４」とし、ＴＭＤＳクロックの周波数を「５４ＭＨｚ」または「１０８ＭＨｚ」として伝送するか、デジタルビデオ信号群１４１のピクセルクロックとＴＭＤＳクロックの周波数を７４．１７６ＭＨｚ以上に変更する、すなわち「ＨＤＭＩ出力解像度」を変更して伝送する必要があるが、いずれの場合もシンク機器２の入力が上記フォーマットをサポートしていることが必要がある。このため、シンク機器２が、上記フォーマットの入力をサポートしない場合は、音声データをダウンサンプリングする等してＴＭＤＳクロックの周波数を「２７ＭＨｚ」に維持した状態で伝送可能なフォーマットに変換する必要がある。
【００５１】
なお、上述のセットされた光ディスクがＣＤ規格であると判定された時点で「ＨＤＭＩ出力解像度」を自動的に４８０ｐや４８０ｉ等の低解像度の出力フォーマットに変更する場合においては、上述した「プレーヤー画面」の表示が要求される場合を考慮して、映像出力なし（黒画面出力）については、自動的に選択しないよう設定することが好ましい。
【００５２】
図４は、上述した「再生ソースの種類」に対して「ＨＤＭＩ出力解像度」と「映像出力の内容」の出力フォーマットを変化させる制御を、ソフトウェア的に示している。すなわち、制御部１１が映像処理部１４とＨＤＭＩ送信部１５を制御する際の動作フローチャートである。
【００５３】
操作部１２から制御部１１へ、ユーザーによる再生要求操作情報が出力される。すなわち、ユーザーにより、例えばリモコンが操作されることで、操作（オン）されたボタンに対して予め割り当てられているコマンドが出力され、制御部１１により解析可能な操作指示（入力）が制御部１１に入力される（ブロック５１）。
【００５４】
続いて、再生装置１３にセットされている再生媒体の種類と記録されている内容の解像度が種類判別部１１１および解像度判別部１１２により検出され、ユーザーから再生要求のあった再生媒体の種類と記録内容の解像度が判別される。すなわち、種類判別部１１１および解像度判別部１１２により、再生装置１３にセットされている再生媒体の種類（ＣＤ規格の光ディスクか、それ以外か）と記録内容（音声データのみか、映像データも存在しているか）が検出される（ブロック５２）。
【００５５】
ブロック５２において、再生媒体に収録（記録）されているデータ（コンテンツ）が音声データのみであること、あるいは光ディスクの種類がＣＤ規格であることが検出された場合（ブロック５２−ＹＥＳ）、映像出力設定３３の設定値に基づきビデオデータバスへの出力内容を決定する（ブロック５３）。
【００５６】
ブロック５３における（変更設定）処理完了後、もしくはブロック５２において、再生媒体に収録（記録）されているデータ（コンテンツ）が映像データを伴っていること、あるいは光ディスクの種類がＤＶＤ規格やＨＤ  ＤＶＤ規格もしくはＢｌｕ−ｒａｙ  Ｄｉｓｃであることが検出された場合（ブロック５２−ＮＯ）、図２に示した「再生ソースの種類」毎に決められている（推奨されている）「ＨＤＭＩ出力解像度」の出力フォーマットが設定される（ブロック５４）。
【００５７】
すなわち、ブロック５３における（変更設定）処理完了後、もしくはブロック５２においてコンテンツが音声データ以外と判別された場合（ブロック５２−ＮＯ）、出力解像度選択部１１３において、選択された「ＨＤＭＩ出力解像度」の映像データを出力可能にするように、デジタルビデオ信号群１２１のピクセルクロックと同期信号タイミングおよびＴＭＤＳのピクセルクロックが設定され、映像処理部１４とＨＤＭＩ送信部１５が、変更された出力フォーマットに基づいて制御される。
【００５８】
以下、制御部１１による再生制御に従い、ユーザーによる再生要求のあった再生対象のデータの再生が開始される（ブロック５５）。
【００５９】
なお、図２に示した例においては「再生ソースの種類」として、「ＨＤ映像データ」、「ＳＤ映像データ」および「音声データ」の３種類の場合分けとしたが、ソース機器１で再生可能な再生装置が再生する再生媒体の種類や、記録内容（コンテンツ）の解像度の種類が多い場合等においては、場合分けの条件を細分化しても良い（場合分けの種類を増大してもよい）。
【００６０】
また、例えば制御部１１内のメモリ領域（ファームウェア）もしくは、予め用意されたメモリを用い、再生装置１３にそれまでセットされていた光ディスクについて検出（取得）した「再生ソースの種類」を保持し、ユーザーによる変更指示（変更操作入力）がない場合は、保持されている「ＨＤＭＩ出力解像度」の設定を維持するよう、制御することも可能である。
【００６１】
さらに、「再生ソースの種類」に基づく場合分けを用いる場合において、例えば『省エネルギー（省エネ）モード』として、「ＨＤ映像データ」以外の映像データについては、「ＨＤＭＩ出力解像度」を４８０ｐや４８０ｉ等の低解像度に設定するモードが用意されてもよい。
【００６２】
またさらに、上述した「再生ソースの種類」に基づく「ＨＤＭＩ出力解像度」の場合分け（「ＨＤＭＩ出力解像度」の変更）は、ユーザーによる再生操作の入力、すなわちリモコン等による再生指示の有無に拘わらず、例えば映像音声再生装置（ソース機器）１の主電源がオンされる毎に、再生装置１３に再生媒体がセットされていることが検出されたことを条件に、自動的に実行されてもよい。
【００６３】
さらにまた、図５に概略的に示すが、例えばＴＶモニター装置Ａ，ＴＶモニター装置Ｂ，ＴＶモニター装置Ｃ，・・・，ＡＶアンプＮのように、ソース機器１に、シンク機器が２以上接続されている場合には、例えばソース機器の主電源がオンされた所定のタイミングで、個々のシンク機器からＥＤＩＤを取得して詳述しないメモリ等に保持し、ユーザーによりシンク機器が選択された時点で、「再生ソースの種類」に基づく「ＨＤＭＩ出力解像度」の設定または変更を実施することも可能である。
【００６４】
なお、デジタルビデオ信号群１４１（ソース機器側）およびデジタルビデオ信号群２１１（シンク機器側）は、必ずしもＣＥＡ−８６１規格やＩＴＵ−Ｒ規格に則っている必要はなく、ＴＭＤＳやＴＩＡ（Telecommunication Industries Association（米国通信工業会））／ＥＩＡ（Electronics Industries Association（米国電子工業会））により制定されたＴＩＡ／ＥＩＡ−８６１規格に準拠したＬＶＤＳ（Low Voltage Differential Signaling）等のシリアルインターフェイスを用いるデジタルビデオ伝送規格であってもよい。また、本提案は、ＨＤＭＩに限らず、ＤＶＩにも適用可能であるが、ＤＶＩに適用する場合は、音声データについては、独立した伝送系が用意されることはいうまでもない。
【００６５】
以上説明したように、本提案によれば、コンテンツに応じて、映像データを出力する際の出力解像度を、自動的に消費電力を低減可能に変更できる映像音声再生装置および映像音声再生方法が得られる。
【００６６】
すなわち、再生対象であるデータ記憶媒体がＣＤ規格の光ディスクである場合等の再生時において、映像データの出力に関して高解像度出力が要求されないような場合、解像度の出力フォーマットを低解像度とすることにより、消費電力を低減できる。
【００６７】
なお、本発明の内容はここに記述した形態だけに限定されるものではなく、その主旨を逸脱しない範囲で、他にも様々な形態を取り得ることはいうまでもない。また、各実施の形態は、可能な限り適宜組み合わせて、もしくは一部を削除して実施されてもよく、その場合は、組み合わせもしくは削除に起因したさまざまな効果が得られる。
【図面の簡単な説明】
【００６８】
【図１】この発明の実施の形態が適用される映像音声再生装置（ソース機器）と音声映像出力装置（シンク機器）の組み合わせ（接続）の一例を示す概略図。
【図２】図１に示したソース機器（映像音声再生装置）からシンク機器（映像音声出力装置）に供給される映像データおよび音声（オーディオ）データに関し、「ＨＤＭＩ出力解像度」と「再生データの種類」との関係の一例を示す概略図。
【図３】図１に示したソース機器（映像音声再生装置）からシンク機器（映像音声出力装置）に供給される映像データおよび音声（オーディオ）データに関し、「ＨＤＭＩ出力解像度」として選択（設定）可能な総ての出力解像度の一例を示す概略図。
【図４】図１に示したソース機器（映像音声再生装置）からシンク機器（映像音声出力装置）に供給される「ＨＤＭＩ出力解像度」と「映像出力の内容」を、「再生データの種類」に基づいて変更（設定）する方法の一例を説明するフローチャート。
【図５】図１に示した映像音声再生装置（ソース機器）と音声映像出力装置（シンク機器）の組み合わせ（接続）の別の例を示す概略図。
【符号の説明】
【００６９】
１…映像音声再生装置（レコーダー装置、ソース機器）、２，Ａ，Ｂ，Ｃ，・・・，Ｎ…映像音声出力装置（シンク機器／リピーター機器、モニター装置、ＡＶアンプ、スピーカー）、３…ＨＤＭＩケーブル、１１…制御部、１２…操作部、１３…再生装置、１４…映像処理部、１５…ＨＤＭＩ送信部、２１…ＨＤＭＩ受信部、２２…映像処理部、１１１…媒体種類判別部、１１２…解像度判別部、１１３…出力解像度選択部、１１４…出力映像選択部、１４１…（ソース側）デジタルビデオ信号群、２１１…（シンク側）デジタルビデオ信号群。
【図１】
2010009695.tif 000003
【図２】
2010009695.tif 000004
【図３】
2010009695.tif 000005
【図４】
2010009695.tif 000006
【図５】
2010009695.tif 000007